(57)【要約】    【課題】      開閉カバーの重量が大きくなっても、開閉カバーの開く方向へ動きを十分に緩衝できるカバー開閉機構およびこれを備えた画像形成装置を提供すること。    【解決手段】  本発明のカバー開閉機構は、開閉カバーの回動軸に開閉カバーの開放方向への動きを緩衝する軸ダンパーを取り付けると共に、開閉カバーの側面中ほどで回動軸側と装置本体との間にバネ式ダンパーを懸架するようにした。これにより、軸ダンパーだけでなくバネ式のダンパーも使用することで、従来のような小型の軸ダンパーでも開閉カバーの開放方向への動きを十分に緩衝できる。また、バネ式ダンパーが、開閉カバーの開放方向への動きを緩衝するだけでなく、開閉カバーの開放方向への回動範囲も規制する。  【選択図】      図７
2006284805.tif 000002
【特許請求の範囲】
【請求項１】
一端を回動軸として他端が回動自在に装置本体に取り付けられた開閉カバーと、前記開閉カバーの前記回動軸に取り付けられ前記開閉カバーが開く方向への動きを緩衝する軸ダンパーと、前記装置本体と前記開閉カバーの前記一端から前記他端の略中間で前記回動軸側とに懸架されたバネにより前記開閉カバーが開く方向への力を緩衝するバネダンパーと、を具備したことを特徴としたカバー開閉機構。
【請求項２】
前記バネダンパーは、前記バネが所定の長さに伸びた際に前記バネの一端と係合することで前記バネを前記長さに保持するストッパーを具備したことを特徴とする請求項１記載のカバー開閉機構。
【請求項３】
請求項１または請求項２記載のカバー開閉機構を具備した画像形成装置。
【発明の詳細な説明】
【技術分野】
【０００１】
本発明は、開閉自在な開閉カバーの開閉機構およびこれを備えた画像形成装置に関する。
【背景技術】
【０００２】
従来より、紙搬送路に紙が詰まった場合に、詰まった紙を取り除くための開閉カバーが設けられた画像形成装置がある（例えば、特許文献１参照）。
【０００３】
この画像形成装置は、紙を側面内部で搬送するものであるので、上述した開閉カバーは画像形成装置の側面に設けられている。また、この開閉カバーは、下端を軸として上方が回動し、開閉するようになっている。
【０００４】
また、この開閉カバーは、自重で過度の勢いで開くことで故障することを防ぐために、開く方向と反対の方向に開閉カバーを付勢し、開く方向への勢いを緩衝する軸ダンパーであるバネコイルが回転軸に巻かれている。
【０００５】
また、この開閉カバーは、開く方向への回動範囲を規制するため、すなわち開きすぎを防ぐために、開閉カバーの上方と画像形成装置との間にヒモが懸架されている。
【特許文献１】特開平３−２９３２４３号公報
【発明の開示】
【発明が解決しようとする課題】
【０００６】
近年、画像形成装置の機能の複雑化とともに部品点数が増加する一方、上述したような開閉カバーにも種々の部品が含まれるようになり、開閉カバーの重量が大きくなってきている。
【０００７】
このため、従来の安価な小型の軸ダンパーでは、開閉カバーの開く方向への勢いを十分に緩衝できないという問題がある。また、軸ダンパーを大型のものにするということも考えられるが、これは装置の大型化と大幅なコストアップを招くという問題点がある。
【０００８】
本発明は、かかる点に鑑みてなされたものであり開閉カバーの重量が大きくなっても、開閉カバーの開く方向へ動きを十分に緩衝できるカバー開閉機構およびこれを備えた画像形成装置を提供することを目的とする。
【課題を解決するための手段】
【０００９】
本発明のカバー開閉機構は、開閉カバーの回動軸に開閉カバーの開く方向への動きを緩衝する軸ダンパーを取り付けると共に、開閉カバーの側面中ほどで回動軸側と装置本体との間にバネ式ダンパーを懸架するようにした。
【発明の効果】
【００１０】
本発明によれば、安価なバネ式ダンパーを使うことで、開閉カバーの重量が大きくなっても、小型で安価な軸ダンパーを使用しながら、開閉カバーの開く方向へ動きを十分に緩衝できる。
【発明を実施するための最良の形態】
【００１１】
本発明の第１の態様にかかるカバー開閉機構は、一端を回動軸として他端が回動自在に装置本体に取り付けられた開閉カバーと、前記開閉カバーの前記回動軸に取り付けられ前記開閉カバーが開く方向への動きを緩衝する軸ダンパーと、前記装置本体と前記開閉カバーの前記一端から前記他端の略中間で前記回動軸側とに懸架されたバネにより前記開閉カバーが開く方向への力を緩衝するバネダンパーと、を具備した構成を採る。
【００１２】
この構成により、開閉カバーの開く方向への動きを軸ダンパーおよびバネ式ダンパーにより開閉カバーの開く方向への動きを緩衝することができる。また、軸ダンパーだけでなくバネ式のダンパーも使用することで、従来のような小型で安価な軸ダンパーでも開閉カバーの開く方向への動きを十分に緩衝できる。また、バネ式ダンパーが、開閉カバーの開く方向への動きを緩衝するだけでなく、開閉カバーの開く方向への回動範囲も規制する。これにより、開閉カバーの開く方向への回動範囲も規制するための部品を別に備える必要がなく、装置を小型化できる。さらに、バネダンパーが開閉カバーの一端から他端の略中間で回動軸側に懸架されていることである。これにより、開閉カバーを開いた状態で、開閉カバーの上側面がバネダンパーにより塞がれず、開放される。この結果、ユーザは、開閉カバーの上側面から、装置内部に対する処理を行いやすくなる。
【００１３】
本発明の第２の態様は、第１の態様にかかるカバー開閉機構において、前記バネダンパーは、前記バネが所定の長さに伸びた際に前記バネの一端と係合することで前記バネを前記長さに保持するストッパーを具備した構成を採る。
【００１４】
この構成により、開閉カバーを開いた状態で安定して保持できるので、操作者が、装置内部に対する処理を行いやすくなる。
【００１５】
本発明の第３の態様は、第１の態様または第２の態様のカバー開閉機構を具備した画像形成装置である。
【００１６】
以下、本発明の一実施の形態にかかるカバー開閉機構を具備した画像形成装置について、添付図面を用いて説明する。まず、本実施の形態にかかる画像形成装置の構成について図１を用いて説明する。図１は、本実施の形態にかかる画像形成装置の断面図である。
【００１７】
画像形成装置１００には、底面部近傍に記録紙を格納する複数の給紙カセット１０１ａ〜１０１ｄが配置されている。給紙カセット１０１ａ〜１０１ｄは、図の手前側から奥方向に着脱可能な構成となっている。また、給紙カセット１０１ａ〜１０１ｄは、それぞれ異なるサイズの記録紙を格納可能になっている。給紙カセット１０１ａ〜１０１ｄの内部底部には、記録紙の搬送方向上流側を軸にし、搬送方向下流先端が回動自在になっている底板１０２ａ〜１０２ｄが設けられている。底板１０２ａ〜１０２ｄの一端は、図示しないバネにより回動側先端が上方に持ち上げられ、配置してある記録紙を持ち上げる。
【００１８】
ピックアップローラ１０３ａ〜１０３ｄは、図示しない駆動部により反時計回転方向に回転すると共に記録紙を押し付けて、記録紙を記録紙の搬送方向下流に配置された一対の給紙ローラ１０４ａ〜１０４ｄに搬送し、給紙ローラ１０４ａ〜１０４ｄが記録紙を装置の内部の搬送路１０５に給紙する。搬送路１０５は、画像形成装置１００の給紙カセット１０１ａ〜１０１ｄにおける記録紙の搬送路下流側部の下方から上方に形成されている。
【００１９】
搬送路１０５上の給紙カセット１０１ａ〜１０１ｄにおける記録紙の搬送方向下流側近傍には、一対の搬送ローラ１０６ａ〜１０６ｄが設けられている。給紙カセット１０１ａ〜１０１ｃから搬送路１０５に搬送されてきた記録紙は、搬送ローラ１０６ａ、１０６ｂ、１０６ｃ、１０６ｄの順に上方に搬送される。
【００２０】
また、画像形成装置１００の右方には手差しトレー１０７が設けられている。手差しトレー１０７の上部には記録紙を載置する載置面１０８が設けられている。載置面１０８に載置された記録紙の先端は、画像形成装置１００の手差しトレー１０７が装着される部分近傍に設けられた一対の給紙ローラ１０９により、搬送路１０５の搬送ローラ１０６ｄに運ばれる。
【００２１】
搬送ローラ１０６ｄは、搬送されてきた記録紙を、搬送路１０５の下流に配置された一対のレジストローラ１１０に搬送する。レジストローラ１１０は、記録紙の先端位置と、後述する転写ベルトに形成された画像の先端位置を合わせるように記録紙の搬送を調整する。
【００２２】
一方、これらの給紙機構の上方には、画像形成部１１１が配置されている。画像形成部には、イエロー、マゼンタ、シアンおよびブラックの４色の画像形成ユニット１１２Ｙ，１１２Ｍ，１１２Ｃ，１１２Ｋが設けられている。画像形成ユニット１１２Ｙ，１１２Ｍ，１１２Ｃ，１１２Ｋには、左から右方向に順に感光体１１３Ｙ、１１３Ｍ、１１３Ｃ、１１３Ｋが設けられている。
【００２３】
感光体１１３Ｙ、１１３Ｍ、１１３Ｃ、１１３Ｋは、図示しない駆動系により所定のタイミングで所定方向に回転され、図示しない帯電ローラにより表面が所定の電位に順次帯電される。そして、感光体１１３Ｙ、１１３Ｍ、１１３Ｃ、１１３Ｋの表面は、レーザスキャンユニット１１４から照射される各レーザ光ＬＹ，ＬＭ，ＬＣ，ＬＫにより順次露光される。これにより、各感光体１１３Ｙ，１１３Ｍ，１１３Ｃ，１１３Ｋの表面に、各色の静電潜像が形成される。
【００２４】
各感光体１１３Ｙ，１１３Ｍ，１１３Ｃ，１１３Ｋの表面に形成された各色の静電潜像は、イエロー（Ｙ）、マゼンタ（Ｍ）、シアン（Ｃ）、ブラック（Ｋ）の各色のトナーが個別に収容されたトナーボトル１１５Ｙ，１１５Ｍ，１１５Ｃ，１１５Ｋから供給される薄層状のイエロー、マゼンタ、シアン、ブラックの４色のトナーによって順次現像され、４色のトナー像をそれぞれ顕像化する。
【００２５】
感光体１１３Ｙ，１１３Ｍ，１１３Ｃ，１１３Ｋの上方には、受像手段として無端状の転写ベルト１１６がベルトローラ１１７ａ、１１７ｂに巻回されて配置されている。また、転写ベルト１１６は、感光体１１３Ｙ，１１３Ｍ，１１３Ｃ，１１３Ｋに当接するように配置されている。
【００２６】
また、転写ベルト１１６の内側であって、感光体１１３Ｙ，１１３Ｍ，１１３Ｃ，１１３Ｋのそれぞれに対向する位置には、感光体１１３Ｙ，１１３Ｍ，１１３Ｃ，１１３Ｋとの間に所定の電圧を印加することで電界を形成する電位印加手段である一次転写ローラ１１８Ｙ，１１８Ｍ，１１８Ｃ，１１８Ｋが設けられている。言い換えると、転写ベルト１１６を介して感光体１１３Ｙ，１１３Ｍ，１１３Ｃ，１１３Ｋと一次転写ローラ１１８Ｙ，１１８Ｍ，１１８Ｃ，１１８Ｋが対向している。
【００２７】
感光体１１３Ｙ，１１３Ｍ，１１３Ｃ，１１３Ｋの表面に形成された４色のトナー像は、回転する転写ベルト１１６の内部の一次転写ローラ１１８Ｙ，１１８Ｍ，１１８Ｃ，１１８Ｋにより順次重ね合わせて転写ベルト１１６に一次転写される。これにより、転写ベルト１１６の表面にフルカラー画像が形成される。
【００２８】
転写ベルト１１６上に一次転写されたフルカラー画像は、ベルトローラ１１７ａ、１１７ｂにより、記録紙の搬送路１０５側に送られる。
【００２９】
搬送路１０５側のベルトローラ１１７ｂと対向する位置には、転写ベルト１１６を挟み、二次転写ローラ１１９が設けられている。二次転写ローラ１１９により、転写ベルト１１６に形成されたフルカラー画像をレジストローラ１１０から送られてきた記録紙に転写する。具体的には、転写ベルト１１６上のフルカラー画像を構成するトナーを電気的に二次転写ローラ１１９側に引き寄せて、フルカラー画像を記録紙に転写する。そして、二次転写ローラ１１９および転写ベルト１１６は、フルカラー画像が記録された記録紙を、搬送路１０５の下流に設けられた定着ローラ１２０と加圧ローラ１２１に送られる。定着ローラ１２０は、近傍に設けられたコイル部１３６より電磁誘導加熱される。そして、定着ローラ１２０と加圧ローラ１２１は、送られてきた記録紙を互いに圧接回転することで、記録面に熱を加えながら押圧することにより、記録紙にフルカラー画像を定着する。そして、このようにしてフルカラー画像が形成された記録紙は、搬送ローラ１２２、１２３、１２４、１２５により順次搬送され、装置外部の記録紙受け１３５に排紙される。
【００３０】
一方、記録紙に両面印刷する場合は、記録紙が、搬送ローラ１２４、１２５に搬送された時点で、搬送ローラ１２４、１２５が逆回転し、記録紙を両面印刷用の搬送路１３４の入口に配置された搬送ローラ１２６に送る。搬送ローラ１２６に送られてきた記録紙は、搬送ローラ１０６の搬送方向下流にある搬送ローラ１２７〜１３０により順次搬送されレジストローラ１１０に送られる。そして、搬送された記録紙は、二次転写ローラ１１９と転写ベルト１１６により、先ほどフルカラー画像を形成した面と反対側に画像を形成される。
【００３１】
また、画像形成装置１００の搬送路１０５側の側部には、二次転写ローラ１１９と転写ベルト１１６との間や、レジストローラ１１０の間に詰まった記録紙を除去するための、開閉カバー１３２が設けられている。開閉カバー１３２は、下方にある回転軸１３３を中心に上方が矢印Ａの方向に回動するようになっている。また、開閉カバー１３２には、二次転写ローラ１１９や、一方のレジストローラ１１０が含まれている。これにより、開閉カバー１３２を開けることにより、二次転写ローラ１１９と転写ベルト１１６との間や、レジストローラ１１０の間が開き、レジストローラ１１０の間に詰まった記録紙を除去することができる。
【００３２】
以上のように、画像形成装置１００は、構成されている。
【００３３】
ところで、開閉カバー１３２には、一方の搬送ローラ１０６ｄや、二次転写ローラ１１９や、一方のレジストローラ１１０だけでなく、両面印刷するための記録紙を搬送するための搬送ローラ１２９、１３０も含まれている。また、二次転写ローラ１１９を含む駆動ユニットなどで構成されているので、開閉カバー１３２はかなりの重量になる。このため、開閉カバー１３２には、開く方向（矢印Ａ）への動きを緩衝するための工夫がなされている。
【００３４】
以下、本実施の形態にかかる開閉カバー１３２の構成について説明する。まず、図２を用いて、開閉カバー１３２の構成について説明する。図２は、図１の右側手前から見た開閉カバー１３２の斜視図である。
【００３５】
図２から分かるように、開閉カバー１３２には、一方の搬送ローラ１０６ｄや、二次転写ローラ１１９や、一方のレジストローラ１１０や、両面印刷するための記録紙を搬送するための搬送ローラ１３０が含まれている。また、開閉カバー１３２の左側下端部には回転軸１３３が設けられている。開閉カバー１３２は回転軸１３３を軸に画像形成装置１００に回動自在に取り付けられる。
【００３６】
また、開閉カバーの１３２の上部には、一対のラッチ２０１ａ、２０１ｂが設けられている。ラッチ２０１ａ、２０１ｂは、軸２１０を支点に先端が回動自在になっている。また、ラッチ２０１ａ、２０１ｂの先端部には切欠き２１１が形成されている。
【００３７】
切欠き２１１が画像形成装置１００の係止部（図７に示す７０１）に引っ掛かることで、開閉カバー１３２が画像形成装置１００に対して閉じた状態になる。また、開閉カバー１３２の側面、つまり、画像形成装置１００に取り付けられた状態で外側になる面に設けられた開閉レバー２０２を引くことにより、ラッチ２０１ａ、２０１ｂの先端部が回動し、切欠き２１１が画像形成装置１００の図２では図示されない係止部からはずれ、開閉カバー１３２が画像形成装置１００に対して開いた状態になる。
【００３８】
また、開閉カバー１３２の左側側面の中央やや回転軸１３３よりには、開閉カバー１３２の開く方向への動きを緩衝するバネダンパー２０３が取り付けられている。バネダンパー２０３は、長手方向を持つ長細い形をし、内部に略長方形の開口部２０７を持つフレーム２００で構成され、フレーム２００の開口部２０７内部にコイル状のバネ２０９が格納されている。バネ２０９の一端はフレーム２００から開口部２０７内部に突出するように設けられた係止部２０８に係合される。
【００３９】
また、バネ２０９の他端には円柱状の突起２０４が取り付けられている。突起２０４は、バネダンパー２０３が回動自在になるように、開閉カバー１３２の図示しない円形の穴に挿入されている。
【００４０】
ここで注目すべき点に、バネダンパー２０３の突起２０４が、開閉カバー１３２の中ほど、つまりラッチ２０１ａ、２０１ｂと、回転軸１３３との略中間であって、回転軸１３３側に位置している、すなわちバネダンパー２０３が開閉カバー１３２の中ほどに懸架されていることである。これにより、開閉カバー１３２を開いた状態で、開閉カバー１３２の上側面がバネダンパー２０３により塞がれず、開放される。この結果、ユーザは、開閉カバー１３２の上側面から、画像形成装置１００の内部に対する処理を行いやすくなる。
【００４１】
また、バネダンパー２０３の係止部２０８側の端部には、円柱状の突起２０６が設けられている。突起２０６は、バネダンパー２０３が回動自在になるように、画像形成装置１００の図示しない穴に挿入されている。
【００４２】
次に、図３を用いて、開閉カバー１３２の構成について説明する。図３は、図１を右側奥から見た開閉カバー１３２の斜視図である。
【００４３】
図３から分かるように、開閉カバー１３２の右側下端部には、軸ダンパー３０１が設けられている。軸ダンパー３０１は、突出部３０２を持ち、突出部３０２は、開閉カバー１３２の回転軸１３３に挿入されている。また、軸ダンパー３０１の突出部３０２は、油圧式ダンパー部３０３に挿入されている。これにより、突出部３０２は、矢印Ｂ、つまり、開閉カバー１３２の開く方向とは逆の方向に付勢する力を持つ。これにより、開閉カバー１３２は、回転軸１３３を介して、軸ダンパー３０１から、開く方向に対する付勢力を受け、開く方向への動きを緩衝される。
【００４４】
次に、バネダンパー２０３の構成について、図４、図５を用いて詳細に説明する。
【００４５】
バネダンパー２０３は、上述したように、長手方向を持つ長細い形をしたフレーム２００に、略長方形の開口部２０７が形成されている。開口部２０７内には、突起２０４が挿入されていて、突起２０４は、開口部２０７内を移動し、これに伴ってバネ２０９も伸縮する。また、突起２０４が開口部２０７内を移動する構造になっているので、突起２０４の移動範囲は、開口部２０７内に限定される。すなわち、バネ２０９の伸びる範囲は、フレーム２００により規制されている。つまり、フレーム２００は、バネ２０９の伸びる範囲を規制する規制部材と言える。
【００４６】
また、開口部２０７の大きさは、突起２０４が係止部２０８と反対側の端部、つまり、バネ２０９が最も伸びた状態で、開閉カバー１３２の画像形成装置１００に対する角度が最適になるようになっている。
【００４７】
また、バネダンパー２０３のフレーム２００の係止部２０８と反対側の端部には、ストッパー４０１が設けられている。ストッパー４０１には、円形の開口部４０２が形成されている。また、開口部４０２は、開口部２０７の係止部２０８と反対側の端部を覆うように配置されている。これにより、突起２０４が最も移動した場合に、ストッパー４０１の開口部４０２に係合し、保持される。この結果、開閉カバー１３２は開放された状態ではバネ２０９により不安定な付勢力を受けるが、突起２０４がストッパー４０１の開口部４０２に係合することにより、開閉カバー１３２は開いた状態で安定して保持される。
【００４８】
以上のように、バネダンパー２０３は構成される。
【００４９】
次に、軸ダンパー３０１の構成について図６を用いて説明する。軸ダンパー３０１は、上述したように、開閉カバー１３２の回転軸１３３に挿入される突出部３０２を持つ。突出部３０２は、ダンパー部３０３内に挿入されており、矢印Ｂの方向に付勢されている。また、ダンパー部３０３は、ボディ部６００内に保持されている。ボディ部６００は、上下端部にそれぞれ設けられた切欠き６０１、６０２により、画像形成装置１００の本体に固定される。
【００５０】
以上のように、軸ダンパー３０１は、構成されている。
【００５１】
次に、開閉カバー１３２の開閉に伴う、バネダンパー２０３および軸ダンパー３０１の緩衝動作について図７および図８を用いて説明する。図７は、開閉カバー１３２が閉じた状態の図であり、図８は、開閉カバー１３２が開放された状態の図である。
【００５２】
図７に示す開閉カバー１３２が閉じた状態では、ラッチ２０１の切欠き２１１に画像形成装置１００に設けられた係止部７０１が係合している。これにより、開閉カバー１３２は、画像形成装置１００に固定されている。また、この状態では、バネダンパー２０３と軸ダンパー３０１は、通常の状態にあり、バネダンパー２０３および軸ダンパー３０１は付勢力を生じていない。
【００５３】
図７の状態から、開閉カバー１３２の開閉レバー２０２が引かれると、ラッチ２０１が係止部７０１から離れる。これに伴って、開閉カバー１３２は、自重により、回転軸１３３を軸に上端が矢印Ａの方向に回動する。
【００５４】
この回動に伴ってバネダンパー２０３のバネ２０９は矢印Ｄの方向に伸び、この反作用として矢印Ｃの方向に付勢力を生じる。また、この回動に伴って、軸ダンパー３０１は矢印Ｅの方向に回転し、この反作用として矢印Ｂの方向に付勢力を生じる。矢印Ｂおよび矢印Ｃの方向への力は、開閉カバー１３２の開く方向と逆の方向の力であるので、開閉カバー１３２の開く方向への動きを緩衝する。
【００５５】
これにより、開閉カバー１３２は、ゆっくりとスムーズに開くことができる。この結果、開閉カバー１３２が過度の勢いで開くことで、操作者にあたってしまう等の不具合を防止できる。
【００５６】
さらに、開閉カバー１３２が開いていくと、バネ２０９の先端に取り付けられた突起２０４がバネダンパーの開口部２０７を移動していく。そして、バネ２０９の先端に取り付けられた突起２０４が、バネダンパー２０３に設けられたストッパー４０１の開口部４０２に係合し、これ以上移動しなくなる。この状態が、図８に示す状態であり、開閉カバー１３２が最高に開いた状態である。
【００５７】
図８の状態では、バネ２０９は矢印Ｃの方向へ、バネによる力を生じているので、不安定であるが、突起２０４がストッパー４０１に係合しているので、開閉カバー１３２は、この状態で安定する。これにより、操作者が、装置内部に対する処理を行いやすくなる。
【００５８】
また、バネ２０９の伸びる範囲は、バネダンパー２０３の開口部２０７の範囲に限られており、また開口部２０７の長さは、開閉カバー１３２が最適な開きかたをする長さになっている。このため、開閉カバー１３２は、最適に開き方をした状態で固定される。
【００５９】
このように、バネダンパー２０３は、開閉カバー１３２の緩衝用の部材としてだけでなく、開閉カバー１３２の回動範囲を規制する部材としての機能を持つ。よって、部品点数を削減でき、また、装置の小型化を実現できる。
【００６０】
また、突起２０４は、開閉カバー１３２の側部の略中間、つまり回転軸１３３とラッチ２０１との中間に取り付けられている。これにより、開閉カバー１３２の上側面が開放される。操作者は、開閉カバー１３２の上側面から画像形成装置１００の内部への操作、例えば、紙ジャムの除去等の処理を行いやすくなる。
【００６１】
次に、開閉カバー１３２を閉じようと、操作者が矢印Ｆの方向に力を加えると、ストッパー４０１の開口部４０２から突起２０４が外れ、回動自在な状態になる。
【００６２】
また、この状態で、バネ２０９は矢印Ｃの方向へ、開閉カバー１３２を閉じる方向に力を生じている。これにより、操作者は、小さい力で開閉カバー１３２を閉じることができる。
【００６３】
以上説明したように、本実施の形態によれば、開閉カバー１３２の開く方向への動きを軸ダンパー３０１およびバネダンパー２０３により開閉カバーの開く方向への動きを緩衝することができる。また、軸ダンパー３０１だけでなくバネダンパー２０３も使用することで、従来のような小型の軸ダンパー３０１でも開閉カバー１３２の開く方向への動きを十分に緩衝できる。すなわち、開閉カバー１３２の重量が大きくなっても、装置の大型化、高コスト化を防ぎながらも、開閉カバー１３２の開く方向へ動きを十分に緩衝できる。
【００６４】
また、バネダンパー２０３が、開閉カバーの開く方向への動きを緩衝するだけでなく、開閉カバー１３２の開く方向への回動範囲も規制する。これにより、開閉カバー１３２の開く方向への回動範囲も規制するための部品を別に備える必要がなく、装置を小型化できる。
【００６５】
なお、本実施の形態では、紙ジャムを除去するための開閉カバー１３２に、バネダンパー２０３および軸ダンパー３０１を使用したが、開閉カバー１３２以外の開閉カバーであっても良い。特に、重量の大きい部材を含む開閉カバーに本願を適用することにより、大きな効果を奏することができる。
【産業上の利用可能性】
【００６６】
本発明は、画像形成装置以外に設けられた開閉カバーに対しても適用可能であり、その利用分野は非常に広い。
【図面の簡単な説明】
【００６７】
【図１】本発明の一実施の形態にかかる画像形成装置の断面図
【図２】本実施の形態にかかる開閉カバーの第１の斜視図
【図３】本実施の形態にかかる開閉カバーの第２の斜視図
【図４】本実施の形態にかかるバネダンパーの第１の上面図
【図５】本実施の形態にかかるバネダンパーの第２の上面図
【図６】本実施の形態にかかる軸ダンパーの斜視図
【図７】本実施の形態にかかる開閉カバーの開閉機構を説明するための第１の図
【図８】本実施の形態にかかる開閉カバーの開閉機構を説明するための第２の図
【符号の説明】
【００６８】
１００  画像形成装置
１０６ａ〜１０６ｄ、１２２〜１３０  搬送ローラ
１１０  レジストローラ
１１１  画像形成部
１１９  二次転写ローラ
１３２  開閉カバー
１３３  回転軸
２０１ａ、２０１ｂ  ラッチ
２０３  バネダンパー
２０４、２０６  突起
２０７  開口部
２０９  バネ
３０１  軸ダンパー
３０２  突出部
３０３  ダンパー部
４０１  ストッパー
【図１】
2006284805.tif 000003
【図２】
2006284805.tif 000004
【図３】
2006284805.tif 000005
【図４】
2006284805.tif 000006
【図５】
2006284805.tif 000007
【図６】
2006284805.tif 000008
【図７】
2006284805.tif 000009
【図８】
2006284805.tif 000010